(57)【要約】      （修正有）【課題】被洗浄物にノズルから洗浄用の流体を噴射して洗浄する際に、ノズルを汚れまで到達させて、洗い残しを抑制できる支持具の提供。【解決手段】洗浄器具１は、可撓性を備え内部を液体が流れる空洞を有したホース２、ホース２の一方先端に取り付けられたノズル５、ホース２の表面を長手方向に取り囲む支持具４とを備え、ホース２を任意の方向に折り曲げ変形したときに、支持具４がホース２の変形および先端ノズル５の向きを、その状態で支持する。【選択図】図１
2019122939.tif 000002
【特許請求の範囲】
【請求項１】
可撓性を備え内部を液体が流れる空洞を有し、一方に噴射口を備える長尺物に取り付けられ、
前記長尺物の表面を長手方向に取り囲み、前記長尺物が変形したときに、前記長尺物の変形および前記噴射口の向きを支持することを特徴とする支持具。
【請求項２】
平ら状をなし、前記長尺物に巻き付けられる請求項１に記載の支持具。
【請求項３】
前記長尺物が変形したときに、その変形を支持する棒状体を収容する収容部を備える請求項１または２に記載の支持具。
【請求項４】
前記収容部は、前記長尺物に取り付けられたときに前記長尺物の長手方向に沿って複数形成されている請求項３に記載の支持具。
【請求項５】
前記噴射口の近辺を撮像するカメラを支持する支持部を有する請求項１ないし４のいずれかに記載の支持具。
【請求項６】
可撓性を備え内部を液体が流れる空洞を有し、一方に噴射口を備える長尺物に取り付けられ、
前記長尺物の表面を長手方向に取り囲み、前記長尺物が変形したときに、前記長尺物の変形および前記噴射口の向きを支持する支持体を収容可能な収容部を有することを特徴とするケース。
【発明の詳細な説明】
【技術分野】
【０００１】
本発明は支持具およびケースに関する。
【背景技術】
【０００２】
カーエアコンの洗浄方法及びその装置が知られている。例えば、エバポレータボックス壁に設けられた１つ以上の作業孔のいずれかを通して、スチームノズルをエバポレータボックス内に挿入し、スチームノズルからスチームを被洗浄物に噴射して汚れを洗浄するに際して、前記作業孔のいずれかを通して挿入した小型ビデオカメラにより、少なくとも洗浄前、洗浄中又は洗浄後の被洗浄物を撮影し、この撮影画像を小型ビデオカメラに結合された再生装置の表示画面に再生させ、この再生画像を観察して被洗浄物の汚れ状況を確認する技術が知られている。
【先行技術文献】
【特許文献】
【０００３】
【特許文献１】特開２０００−３２５８９５号公報
【発明の概要】
【発明が解決しようとする課題】
【０００４】
カーエアコンの内部の形状は、車種により様々である。ノズルが汚れに到達しない場合は、洗浄用の流体を噴射しても汚れに届かず、洗い残しが発生するという問題がある。
１つの側面では、本発明は、洗い残しを抑制することを目的とする。
【課題を解決するための手段】
【０００５】
上記目的を達成するために、開示の支持具が提供される。この支持具は、可撓性を備え内部を液体が流れる空洞を有し、一方に噴射口を備える長尺物に取り付けられ、長尺物の表面を長手方向に取り囲み、長尺物が変形したときに、長尺物の変形および噴射口の向きを支持する
【発明の効果】
【０００６】
１態様では、洗い残しを抑制することができる。
【図面の簡単な説明】
【０００７】
【図１】実施の形態の洗浄器具を示す図である。
【図２】支持具を説明する図である。
【図３】支持具を説明する図である。
【図４】収容部の入り口部分の拡大図である。
【図５】折り曲げた支持具を説明する図である。
【図６】実施の形態の洗浄器具の応用例を説明する図である。
【発明を実施するための形態】
【０００８】
以下、実施の形態の支持具を、図面を参照して詳細に説明する。
＜実施の形態＞
図１は、実施の形態の洗浄器具を示す図である。
【０００９】
洗浄器具１は、例えばカーエアコン等の冷暖房器具（洗浄対象）の内部を高圧洗浄する器具である。前述した冷暖房器具は、熱交換器（エバポレータ）を有していてもよい。洗浄対象の洗浄箇所の一例としては、熱交換器、熱交換器の内壁、通風ダクト内壁、ブロワーファン等が挙げられる。
洗浄器具１は、ホース（長尺物）２と、操作部３と、支持具４と、先端ノズル５とを有している。
ホース２は可撓性を有しており、内部を洗浄液や洗浄ガス（流体）が流れるようになっている。ホース２の長さとしては一例として７０ｃｍ程度である。
操作部３は、ホース２の一端部に固定されており、図示しないタンクや蛇口等から取り込んだ流体をホース２に流したり止めたりする機能を有している。
【００１０】
支持具４は、先端ノズル５の近傍から操作部３側に向かってホース２の表面を長手方向に取り囲んでホース２に巻かれている。支持具４は、ホース２が変形したときに、その変形を支持する。なお、図１では支持具４の表面に水玉模様や、長手方向に沿った模様が記載されているが、これらはなくてもよいし、任意の模様が配置されていてもよい。支持具４の長さとしては一例として５０ｃｍ程度である。
先端ノズル５は、ホース２の先端部（他端部）に設けられている。先端ノズル５からはホース２の内部を通った流体が勢いよく噴射される。
図２および図３は、支持具を説明する図である。
支持具４は、ケース４０内に金属製（例えばステンレス鋼）の棒状体（支持体）６が収容されている。
【００１１】
ケース４０は、平ら状（図２では矩形）をなしている。このケース４０は、ホース２が変形したときに、その変形を支持する棒状体６を収容する複数（図２では４つ）の収容部（ポケット）４１を備えている。
【００１２】
これら各収容部４１は、支持具４がホース２に取り付けられたときに、ホース２の長手方向に沿うように複数形成されている。収容部４１の表面には、メッシュのカバー４２が設けられている。カバー４２により、収容部４１が傷つくことを抑制している。また、カバー４２は、支持具４のホース２に対する滑り止めとしても機能する。
図３では、カバー４２の裏側に位置する収容部４１および棒状体６を点線で示している。
【００１３】
棒状体６としては、一度変形するとその変形状態を維持するものであれば前述した金属製に限定されない。図２では一例として、１つの収容部４１には２本の棒状体６が収容されている。なお、収容部４１に収容される棒状体６の本数は1本でもよいし、３本以上でもよい。
【００１４】
棒状体６は、収容部４１から自由に出し入れすることができる。これにより、棒状体６が金属疲労等により折れたり元に戻らなくなったりした場合、容易に新しい棒状体に交換することができる。
【００１５】
また、支持ケース４０は、支持ケース４０の対向する長辺同士を固定する固定部４３を有している。固定部４３としては、例えば面ファスナー（マジックテープ（登録商標））やボタン等が挙げられる。図２および図３においては固定部４３として面ファスナーのループを図示している。面ファスナーのフックは、図２および図３中、ケース４０の右側の端部（長辺）の裏面に配置されている。
収容部４１の入り口には、蓋部４４が設けられている。
図４は、収容部の入り口部分の拡大図である。
【００１６】
蓋部４４には、面ファスナーのループ４４１が設けられている。また、収容部４１の、棒状体６の挿入口部分には面ファスナーのフック４１１が設けられている。なお、図４には図示していないが、蓋部４４の棒状体６が当接する箇所には、棒状体６により蓋部４４が損傷することを抑制する補強が設けられていてもよい。
蓋部４４にて収容部４１の入り口を覆い、ループ４４１とフック４１１を当接させることにより、棒状体６が収容部４１から排出されることを抑制できる。
【００１７】
この洗浄器具１を使用する際には、洗浄器具１を使用する使用者は、先端ノズル５の近傍から操作部３側に向かって支持具４をホース２に巻き付け固定部４３を用いて固定する。その後、カーエアコン等の冷暖房器具の内部に支持具４を巻き付けたホース２を挿入していく。
ホース２が途中でつかえて上手く熱交換器の内部に入っていかない場合、使用者は支持具４を任意の方向に折り曲げることができる。
図５は、折り曲げた支持具を説明する図である。
【００１８】
図５に示す例では、使用者は支持具４を大きく分けて４箇所で折り曲げている。使用者は支持具４を把持して折り曲げることにより、支持具４を任意の形状（方向）に屈曲または湾曲させる。棒状体６により支持具４およびホース２が折り曲げた状態に支持される。また、先端ノズル５も一定の方向を向いた状態で支持される。
この状態で使用者はホース２を熱交換器の内部に挿入し、先端ノズル５が熱交換器の内部の汚れに到達できるように試みる。
【００１９】
内部の汚れに到達したと判断した際には使用者は操作部３を操作し、先端ノズル５の噴射口から流体を噴出させることにより、熱交換器の内部の汚れをより確実に落とすことができる。
【００２０】
以上説明したように、実施の形態の洗浄器具１によれば、可撓性を備え内部を液体が流れる空洞を有し、一方に先端ノズル５が取り付けられたホース２に取り付けられ、ホース２の表面を長手方向に取り囲み、ホース２が変形したときに、ホース２の変形および先端ノズル５の向きを支持する支持具４を有する。従って、熱交換器内部の汚れに到達できる可能性を高め、洗い残しを抑制することができる。
＜応用例＞
図６は、実施の形態の洗浄器具の応用例を説明する図である。
図６においては支持具４の図示を省略している。
洗浄器具１ａの先端ノズル５には、先端ノズル５の噴射口の近辺を撮像するカメラ７を支持する支持部８を有している。
支持部８にカメラ７を挿入することにより、カメラ７が固定され、先端ノズル５の噴射口と同じ向きにカメラ７のレンズが向くようになっている。
カメラの種別としては特に限定されないが、例えばＣＣＤカメラやＣＭＯＳカメラ等が挙げられる。
【００２１】
カメラ７を取り付けた状態で熱交換器内に先端ノズル５を挿入することにより、洗浄箇所を容易に把握したり、洗浄が確実に行われたか否かを容易に確認したりすることができる。
【００２２】
以上、本発明の支持具およびケースを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００２３】
１、１ａ  洗浄器具
２  ホース
３  操作部
４  支持具
４０  ケース
４１  収容部
４１１  フック
４２  カバー
４３  固定部
４４  蓋部
４４１  ループ
５  先端ノズル
６  棒状体
７  カメラ
８  支持部
【図１】
2019122939.tif 000003
【図２】
2019122939.tif 000004
【図３】
2019122939.tif 000005
【図４】
2019122939.tif 000006
【図５】
2019122939.tif 000007
【図６】
2019122939.tif 000008
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
可撓性を備え内部を液体が流れる空洞を有し、一方に噴射口を備える長尺物に取り付けられ、
前記長尺物の表面を長手方向に取り囲み、予め所定の形状に前記長尺物を変形させ前記長尺物の変形および前記噴射口の向きを支持した状態で移動できることを特徴とする支持具。
【請求項２】
平ら状をなし、前記長尺物に巻き付けられる請求項１に記載の支持具。
【請求項３】
前記長尺物が変形したときに、その変形を支持する棒状体を収容する収容部を備える請求項１または２に記載の支持具。
【請求項４】
前記収容部は、前記長尺物に取り付けられたときに前記長尺物の長手方向に沿って複数形成されている請求項３に記載の支持具。
【請求項５】
前記噴射口の近辺を撮像するカメラを支持する支持部を有する請求項１ないし４のいずれかに記載の支持具。
【請求項６】
可撓性を備え内部を液体が流れる空洞を有し、一方に噴射口を備える長尺物に取り付けられ、
前記長尺物の表面を長手方向に取り囲み、予め所定の形状に前記長尺物を変形させ前記長尺物が変形したときに、前記長尺物の変形および前記噴射口の向きを支持した状態で移動できる支持体を収容可能な収容部を有することを特徴とするケース。